(57)【特許請求の範囲】
【請求項１】
筐体と、
前記筐体における所定面に配置されるハードキー群であって、
直線又は曲線に沿って配置される複数の第１ハードキーと、
前記複数の第１ハードキー同士の間に配置され、又は、前記複数の第１ハードキーと並んで配置され、前記直線又は前記曲線から外れた位置に配置される第２ハードキーと、を有するハードキー群と、
通話用マイクと、
前記筐体の所定面に形成され、前記通話用マイクに対向配置されるマイク用孔部と、を備え、
前記ハードキー群は、前記筐体における長手方向の一端側の外縁に沿って、該筐体における短手方向に延びるように配置され、
前記第２ハードキーは、前記ハードキー群における端部に配置され、前記直線又は前記曲線から前記長手方向における他端側に外れて配置され、
前記マイク用孔部は、前記長手方向において、前記第２ハードキーの前記一端側に、前記第２ハードキーと並んで配置される
携帯電子機器。
【請求項２】
前記ハードキー群は、前記筐体における外縁に沿って配置される
請求項１に記載の携帯電子機器。
【請求項３】
メイン機能を含む複数の機能を有し、
前記複数の第１ハードキーそれぞれには、所定の機能における所定の動作がアサインされており、
前記第２ハードキーには、前記メイン機能における所定の動作がアサインされている
請求項１又は２に記載の携帯電子機器。
【請求項４】
前記メイン機能は、通話機能であり、
前記第２ハードキーには、前記通話機能における所定の動作がアサインされている
請求項３に記載の携帯電子機器。
【請求項５】
前記複数の第１ハードキーそれぞれは、
一部が前記筐体の外部に露出され、前記筐体の厚さ方向に移動可能に配置される複数の第１キー部材と、
前記筐体の内部に、前記複数の第１キー部材それぞれに押圧可能に配置される複数の第１スイッチ部と、を有し、
前記第２ハードキーは、
一部が前記筐体の外部に露出され、前記筐体の厚さ方向に移動可能に配置される第２キー部材と、
前記筐体の内部に、前記第２キー部材に押圧可能に配置される第２スイッチ部と、を有し、
前記通話用マイクは、前記短手方向において、少なくとも一部が前記複数の第１スイッチ部と重なる位置に配置される
請求項１〜４のいずれかに記載の携帯電子機器。
【請求項６】
前記通話用マイクは、中心が、前記短手方向において、前記第２スイッチ部の中心と、前記複数の第１スイッチ部のうち最も前記第２スイッチ部側の前記第１スイッチ部の中心との間に位置するよう配置される
請求項５に記載の携帯電子機器。
【発明の詳細な説明】
【技術分野】
【０００１】
本発明は、携帯電話機等の携帯電子機器に関する。
【背景技術】
【０００２】
従来、携帯電子機器としての携帯電話機において、所定の機能における動作がアサインされた複数のハードキーを有するタイプが存在する（例えば、特許文献１参照）。
このような携帯電話機において、所望の機能を動作させるハードキーが、複数のハードキーのうち、どのハードキーであるわかりにくい場合があった。
【０００３】
しかし、特許文献１の携帯電話機において、例えば、主要な機能における動作（例えば、通話機能における受話や終話）を瞬時（不意）に実行させる必要がある場合、ユーザが該主要な機能における動作がアサインされたハードキーを確実に操作できない場合があった。
【先行技術文献】
【特許文献】
【０００４】
【特許文献１】特開２０１０−２４４３０５号公報
【発明の概要】
【発明が解決しようとする課題】
【０００５】
本発明は、操作性に優れた携帯電子機器を提供することを目的とする。
【課題を解決するための手段】
【０００６】
本発明は、筐体と、前記筐体における所定面に配置されるハードキー群であって、直線又は曲線に沿って配置される複数の第１ハードキーと、前記複数の第１ハードキー同士の間に配置され、又は、前記複数の第１ハードキーと並んで配置され、前記直線又は前記曲線から外れた位置に配置される第２ハードキーと、を有するハードキー群と、を備える携帯電子機器に関する。
【０００７】
また、携帯電子機器において、前記ハードキー群は、前記筐体における外縁に沿って配置されることが好ましい。
【０００８】
また、携帯電子機器において、前記ハードキー群は、前記筐体における長手方向の一端側の外縁に沿って、該筐体における短手方向に延びるように配置され、前記第２ハードキーは、前記ハードキー群における端部に配置され、前記直線から前記長手方向における他端側に外れて配置されることが好ましい。
【０００９】
また、携帯電子機器は、メイン機能を含む複数の機能を有し、前記複数の第１ハードキーそれぞれには、所定の機能における所定の動作がアサインされており、前記第２ハードキーには、前記メイン機能における所定の動作がアサインされていることが好ましい。
【００１０】
また、携帯電子機器において、前記メイン機能は、通話機能であり、前記第２ハードキーには、前記通話機能における所定の動作がアサインされていることが好ましい。
【００１１】
また、携帯電子機器は、通話用マイクと、前記筐体の所定面に形成され、前記通話用マイクに対向配置されるマイク用孔部と、を備え、前記マイク用孔部は、前記長手方向において、前記第２ハードキーの前記一端側に、前記第２ハードキーと並んで配置されることが好ましい。
【００１２】
また、携帯電子機器において、前記複数の第１ハードキーそれぞれは、一部が前記筐体の外部に露出され、前記筐体の厚さ方向に移動可能に配置される複数の第１キー部材と、前記筐体の内部に、前記複数の第１キー部材それぞれに押圧可能に配置される複数の第１スイッチ部と、を有し、前記第２ハードキーは、一部が前記筐体の外部に露出され、前記筐体の厚さ方向に移動可能に配置される第２キー部材と、前記筐体の内部に、前記第２キー部材に押圧可能に配置される第２スイッチ部と、を有し、前記通話用マイクは、前記短手方向において、少なくとも一部が前記複数の第１スイッチ部と重なる位置に配置されることが好ましい。
【００１３】
また、携帯電子機器において、前記通話用マイクは、中心が、前記短手方向において、前記第２スイッチ部の中心と、前記複数の第１スイッチ部のうち最も前記第２スイッチ部側の前記第１スイッチ部の中心との間に位置するよう配置されることが好ましい。
【００１４】
また、本発明は、筐体と、前記筐体における所定面に配置されるタッチスクリーンディスプレイと、前記タッチスクリーンディスプレイの周囲に配置されるハードキー群であって、直線又は曲線に沿って配置される複数の第１ハードキーと、前記複数の第１ハードキー同士の間に配置され、又は、前記複数の第１ハードキーと並んで配置され、前記直線又は前記曲線から外れた位置に配置される第２ハードキーと、を有するハードキー群と、を備える携帯電子機器に関する。
【発明の効果】
【００１５】
本発明によれば、操作性に優れた携帯電子機器を提供することができる。
【図面の簡単な説明】
【００１６】
【図１】図１は、第１実施形態の携帯電話機１における正面図である。
【図２】図２は、第１実施形態の携帯電話機１における裏面図である。
【図３】図３は、第１実施形態の携帯電話機１における側面図である。
【図４Ａ】図４Ａは、図１における領域Ａを示す図である。
【図４Ｂ】図４Ｂは、領域Ａにおける内部構造を説明する図である。
【図５】図５は、第２実施形態の携帯電話機１Ａにおける正面図である。
【図６Ａ】図６Ａは、図５における領域Ａ１を示す図である。
【図６Ｂ】図６Ｂは、領域Ａ１における内部構造を説明する図である。
【発明を実施するための形態】
【００１７】
以下、図面を参照して本発明を実施するための形態を説明する。
図１から図３により、第１実施形態における携帯電話機１（携帯電子機器）の基本構造を説明する。図１は、第１実施形態の携帯電話機１における正面図である。図２は、第１実施形態の携帯電話機１における裏面図である。図３は、第１実施形態の携帯電話機１における側面図である。
【００１８】
図１から図３に示すように、携帯電話機１は、筐体２を有する。
筐体２は、表面２Ａ（所定面）と、裏面２Ｂとを有する。本実施形態において、表面２Ａは、ユーザに対向する面であってユーザからの押圧操作を受ける面である。表面２Ａは、表側の面であり、裏面２Ｂと対をなす面である。また、裏面２Ｂは、ユーザの指及び手の平に対向して配置される（載置される）面である。
【００１９】
筐体２における表面２Ａ側には、ハードキー群１１と、タッチスクリーンディスプレイ２１と、音入力部２４（マイク用孔部２４ａ）と、音出力部２５（レシーバ用孔部２５ａ）と、が配置される。
また、筐体２における長手方向の側面には、インターフェース１７（ＩＦカバー１７ａ）と、サイドキー１６と、スライドキー１９とが配置される。
【００２０】
ハードキー群１１は、筐体２における表面２Ａ側に配置される。ハードキー群１１は、筐体２の長手方向における一端側に配置される。ハードキー群１１は、筐体２の短手方向に沿って略直線状に配置される。
ハードキー群１１は、複数の第１ハードキーとしてのハードキー１１ａ、ハードキー１１ｂ、ハードキー１１ｃと、ハードキー１１ｄと、第２ハードキーとしてのハードキー１１ｅと、を有する。各ハードキーは、キー部材と、スイッチ部とを有して構成される。ハードキー群１１における配置及び構造については、後に詳述する。
【００２１】
タッチスクリーンディスプレイ２１は、文字及び図形を表示可能に構成される。タッチスクリーンディスプレイ２１は、所定の機能に対応した文字及び図形等を表示可能に構成される。ここで、図形とは、アイコン、アプリケーションごとに設定された画面等を含む概念である。
【００２２】
タッチスクリーンディスプレイ２１は、ディスプレイ２１Ａと、タッチスクリーン２１Ｂとを有する。
ディスプレイ２１Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２１Ａは、文字及び図形等を表示する。
【００２３】
タッチスクリーン２１Ｂは、タッチスクリーンディスプレイ２１に対する指、又はスタイラスペン等の接触を検出する。タッチスクリーン２１Ｂは、複数の指、又はスタイラスペン等がタッチスクリーンディスプレイ２３に接触した位置を検出することができる。
タッチスクリーン２１Ｂの検出方式は、静電容量方式、抵抗膜方式、表面弾性波方式（又は超音波方式）、赤外線方式、電磁誘導方式、及び荷重検出方式等の任意の方式でよい。
【００２４】
インターフェース１７は、不使用時には、ＩＦカバー１７ａにより覆われている。
サイドキー１６は、所定の機能における動作がアサインされている。サイドキー１６が選択（押下）された場合、所定の機能においてサイドキー１６にアサインされた動作が実行される。本実施形態において、例えば、サイドキー１６には、キーロック機能の実行動作がアサインされる。
【００２５】
スライドキー１９は、側面に沿って筐体２の長手方向にスライド移動可能に構成される。スライドキー１９には、位置に応じて所定の機能の起動動作、又は、起動中の機能における所定動作がアサインされる。
【００２６】
音入力部２４は、筐体２における該筐体２の長手方向における一端側に配置される。音入力部２４は、長手方向において、ハードキー群１１と同じ端部側に配置される。音入力部２４は、長手方向において、ハードキー群１１の外側に配置される。本実施形態において、音入力部２４は、短手方向の中央部に配置されるハードキー１１ｃと長手方向において並んで配置される。
音入力部２４は、表面２Ａに形成されたマイク用孔部２４ａと、筐体２の内部に収容配置される通話用マイク２４ｂとを有する。マイク用孔部２４ａは、通話用マイク２４ｂに対向して配置される。
【００２７】
音出力部２５は、筐体２における該筐体２の長手方向における一端側に配置される。音出力部２５は、長手方向において、音入力部２４と反対の端部側に配置される。
音出力部２５は、表面２Ａに形成されたレシーバ用孔部２５ａと、筐体２の内部に配置されるレシーバ２５ｂ（スピーカ）とを有する。
【００２８】
次いで、携帯電話機１における内部構造について説明する。
筐体２の内部には、通話用マイク２４ｂと、レシーバ２５ｂと、タッチスクリーンディスプレイ２１（ディスプレイ２１Ａ）と、キー構造部５０（図４Ｂ参照）と、回路基板（不図示）と、アンテナ（不図示）とが収容配置される。
【００２９】
通話用マイク２４ｂは、筐体２の長手方向におけるハードキー群１１側の端部に配置される。通話用マイク２４ｂは、長手方向において、ハードキー群１１の外側に配置される。本実施形態において、通話用マイク２４ｂは、ハードキー１１ｃに対応するスイッチ部１１０ｃと長手方向において並んで配置される（図４Ｂ参照）。
【００３０】
レシーバ２５ｂは、筐体２の長手方向における通話用マイク２４ｂと反対側の端部に配置される。レシーバ２５ｂは、筐体２の長手方向におけるハードキー群１１側と反対側の端部に配置される。
【００３１】
ディスプレイ２１Ａは、例えば、液晶パネルと、液晶パネルを駆動する駆動回路と、液晶パネルの背面側から光を照射するバックライト等の光源部とを含んで構成される。
【００３２】
キー構造部５０は、各ハードキーを構成するキー部材と、キーシート５０Ａと、各ハードキーを構成するスイッチ部が実装されたキー基板５０Ｂと、を有する（図４Ｂ参照）。キー構造部５０における構造等については、後に詳述する。
【００３３】
回路基板は、平板状の基板部と、基板部の表面に実装される電子部品及び各種回路ブロックと、基板部の表面に実装される基準電位パターン層とを有する。
基板部に実装される電子部品は、例えば、アンテナが送受信する信号を処理する信号処理部を含む電子部品等である。また、回路ブロックは、例えば、ＲＦ（Ｒａｄｉｏ  Ｆｒｅｑｕｅｎｃｙ）回路や電源回路等である。
【００３４】
アンテナは、基台と、基台に上に配置された所定形状のアンテナエレメントとを有して構成される。
アンテナエレメントは、帯状の板金により形成される。アンテナエレメントは、不図示の給電端子を介して回路基板から給電される。これにより、アンテナエレメントは、給電端子を介して回路基板から給電されると共に、回路基板のＲＦモジュール等と接続される。
【００３５】
続けて、図４Ａ及び図４Ｂにより、第１実施におけるハードキー群１１の配置及び構造等について説明する。図４Ａは、図１における領域Ａを示す図である。図４Ｂは、領域Ａにおける内部構造を説明する図である。
【００３６】
図４Ａ及び図４Ｂに示すように、ハードキー群１１は、筐体２における表面２Ａ側に配置される。ハードキー群１１は、筐体２の長手方向における一端側に配置される。
ハードキー群１１は、筐体２の短手方向に沿って略直線状に配置される。ハードキー群１１は、筐体２における短手方向に延びる外縁に沿って配置される。
また、ハードキー群１１は、タッチスクリーンディスプレイ２１の周囲に配置される。
【００３７】
ハードキー群１１は、複数の第１ハードキーとしてのハードキー１１ａ、ハードキー１１ｂ、ハードキー１１ｃ、ハードキー１１ｄと、第２ハードキーとしてのハードキー１１ｅと、を有する。
【００３８】
複数の第１ハードキーとしてのハードキー１１ａ、ハードキー１１ｂ、ハードキー１１ｃ、ハードキー１１ｄは、直線Ｌに沿って配置される。ここで、直線Ｌに沿って配置されるとは、例えば、各第１ハードキーを構成するキー部材における中心又は重心が直線Ｌに沿って並んでいること、又は、各第１ハードキーを構成するスイッチ部の中心が直線Ｌに沿って並んでいることをいう。本実施形態において、直線Ｌに沿って配置されるとは、各第１ハードキーを構成するスイッチ部の中心が直線Ｌに沿って並んでいることをいう。スイッチ部における中心は、各図において点（中心点）として図示する。
【００３９】
第２ハードキーとしてのハードキー１１ｅは、ハードキー群１１における端部に配置される。
第２ハードキーとしてのハードキー１１ｅは、複数の第１ハードキーと並んで配置される。第２ハードキーとしてのハードキー１１ｅは、筐体２における短手方向の一端側に配置される。第２ハードキーとしてのハードキー１１ｅは、筐体２における角（隅）に配置される。
第２ハードキーとしてのハードキー１１ｅは、複数の第１ハードキーが沿う直線Ｌから外れた位置に配置される。ここで、直線Ｌから外れて配置されるとは、例えば、第２ハードキーを構成するキー部材における中心又は重心が直線Ｌからずれて配置されていること、又は、第２ハードキーを構成するスイッチ部の中心が直線Ｌからずれて配置されていることをいう。本実施形態において、直線Ｌから外れて配置されるとは、第２ハードキーを構成するスイッチ部の中心が直線Ｌから外れて配置されていることをいう。スイッチ部における中心は、各図において点（中心点）として図示する。
第２ハードキーとしてのハードキー１１ｅは、本実施形態において、直線Ｌから長手方向において筐体２の中央側（図４Ａ及び図４Ｂにおいて上側、筐体２における下端から離れる側）にずれて配置される。第２ハードキーとしてのハードキー１１ｅは、直線Ｌから長手方向における他端側（音出力部２５側の端部側）にずれて配置される。
【００４０】
複数のハードキー１１ａ、１１ｂ、１１ｃ、１１ｄ、１１ｅそれぞれは、キー部材１００ａ、１００ｂ、１００ｃ、１００ｄ、１００ｅと、スイッチ部１１０ａ、１１０ｂ、１１０ｃ、１１０ｄ、１１０ｅとを有して構成される。
詳細には、複数の第１ハードキー１１ａ、１１ｂ、１１ｃ、１１ｄそれぞれは、一部が筐体２の外部に露出され筐体２の厚さ方向に移動可能に配置される複数の第１キー部材としてのキー部材１００ａ、１００ｂ、１００ｃ、１００ｄと、筐体２の内部に、複数の第１キー部材としてのキー部材１００ａ、１００ｂ、１００ｃ、１００ｄそれぞれに押圧可能に配置される複数の第１スイッチ部としてのスイッチ部１１０ａ、１１０ｂ、１１０ｃ、１１０ｄと、を有する。
また、第２ハードキーとしてのハードキー１１ｅは、一部が筐体２の外部に露出され筐体２の厚さ方向に移動可能に配置される第２キー部材としてのキー部材１００ｅと、筐体２の内部に、第２キー部材としてのキー部材１００ｅに押圧可能に配置されるスイッチ部１１０ｅとを有する。
【００４１】
第１ハードキーとしてのハードキー１１ａ、１１ｂ、１１ｃ、１１ｄを構成する第１キー部材としてのキー部材１００ａ、１００ｂ、１００ｃ、１００ｄは、直線Ｌに沿って配置される。
第１ハードキーとしてのハードキー１１ａ、１１ｂ、１１ｃ、１１ｄを構成する第１スイッチ部としてのスイッチ部１１０ａ、１１０ｂ、１１０ｃ、１１０ｄは、直線Ｌに沿って配置される。
【００４２】
第２ハードキーとしてのハードキー１１ｅを構成する第２キー部材としてのキー部材１００ｅは、直線Ｌから外れて配置される。第２キー部材としてのキー部材１００ｅは、直線Ｌから他端側（音出力部２５側の端部側）にずれて配置される。
第２ハードキーとしてのハードキー１１ｅを構成する第２スイッチ部としてのスイッチ部１１０ｅは、直線Ｌから外れて配置される。第２スイッチ部としてのスイッチ部１１０ｅは、直線Ｌから他端側（音出力部２５側の端部側）にずれて配置される。
【００４３】
ここで、携帯電話機１は、メイン機能を含む複数の機能を有する。本実施形態において、携帯電話機１は、メイン機能としての通話機能、及び他の機能としてのメール機能、画面遷移機能、メニュー画面表示機能、インターネット接続機能、カメラ機能、文章編集機能等を有する。
【００４４】
そして、ハードキー群１１を構成する複数の第１ハードキーとしてのハードキー１１ａ、１１ｂ、１１ｃ、１１ｄ及び第２ハードキーとしてのハードキー１１ｅそれぞれには、所定の機能における所定の動作がアサインされている。
【００４５】
本実施形態において、第１ハードキーとしてのハードキー１１ａには、メール機能を起動させる動作がアサインされている。
また、第１ハードキーとしてのハードキー１１ｂには、画面遷移機能における直前の画面に戻る動作がアサインされている。
また、第１ハードキーとしてのハードキー１１ｃには、画面遷移機能におけるホーム画面に遷移する動作がアサインされている。
また、第１ハードキーとしてのハードキー１１ｄには、メニュー画面表示機能を起動させる動作がアサインされている。
【００４６】
また、本実施形態において、第２ハードキーとしてのハードキー１１ｅには、メイン機能としての通話機能における所定の動作がアサインされている。第２ハードキーとしてのハードキー１１ｅには、通話機能における受話動作及び終話動作がアサインされている。
【００４７】
ここで、本実施形態において、ハードキー１１ａ、１１ｂ、１１ｃ、１１ｄ、１１ｅそれを構成するキー部材１００ａ、１００ｂ、１００ｃ、１００ｄ、１００ｅは、各ハードキーにアサインされた機能又は動作をイメージさせる形状（例えば、アイコンの形状）に形成される。
【００４８】
本実施形態において、通話用マイク２４ｂは、上述の通り、筐体２の長手方向におけるハードキー群１１側の端部に配置される。通話用マイク２４ｂは、長手方向において、ハードキー群１１の外側に配置される。
本実施形態において、マイク用孔部２４ａは、ハードキー１１ｃに対応するキー部材１００ｃと長手方向において並んで配置される（図４Ｂ参照）。
また、本実施形態において、通話用マイク２４ｂは、ハードキー１１ｃに対応するスイッチ部１１０ｃと長手方向において並んで配置される（図４Ｂ参照）。通話用マイク２４ｂは、スイッチ部１１０ｃと重ならないように並んで配置される。
【００４９】
本実施形態によれば、携帯電話機１において、第２ハードキーとしてのハードキー１１ｅは、第１ハードキーとしてのハードキー１１ａ、１１ｂ、１１ｃ、１１ｄが沿う直線Ｌから外れて配置される。これにより、携帯電話機１は、第２ハードキーとしてのハードキー１１ｅに対するユーザの操作性を向上させることができる。携帯電話機１は、第２ハードキーとしてのハードキー１１ｅに対するユーザの誤操作を低減できる。
【００５０】
また、本実施形態によれば、携帯電話機１において、ハードキー群１１は、筐体２における外縁に沿って配置される。これにより、ユーザは、ハードキー群１１の位置が容易に認識できる。よって、携帯電話機１は、ユーザの操作性を向上させることができる。
【００５１】
また、本実施形態によれば、携帯電話機１において、ハードキー群１１は、筐体２における長手方向の一端側の外縁に沿って、該筐体２における短手方向に延びるように配置される。そして、携帯電話機１において、第２ハードキーとしてのハードキー１１ｅは、ハードキー群１１における端部に配置され、直線Ｌから長手方向における他端側（音出力部２５側の端部側）に外れて配置される。これにより、ユーザは、ハードキー群１１における第２ハードキーとしてのハードキー１１ｅの位置を容易に認識することができる。また、これにより、携帯電話機１は、第２ハードキーとしてのハードキー１１ｅに対するユーザの操作性を向上させることができる。
また、この場合におけるハードキー１１ｅの位置は、ハードキー１１ｅが直線Ｌに沿って配置された場合の位置よりもユーザにとって押圧操作しやすい位置である。この点からも、携帯電話機１は、操作性に優れている。
【００５２】
また、本実施形態によれば、携帯電話機１において、第２ハードキーとしてのハードキー１１ｅは、筐体２における短手方向の一端側に配置される。第２ハードキーとしてのハードキー１１ｅは、筐体２における角（隅）に配置される。これにより、携帯電話機１は、操作性が良好であると共に、ユーザからの押圧操作による影響（たわみ等）を低減可能に構成される。
【００５３】
また、本実施形態によれば、携帯電話機１において、第２ハードキーとしてのハードキー１１ｅには、メイン機能における所定の動作がアサインされている。これにより、携帯電話機１は、メイン機能に関する操作性を向上させることができる。
【００５４】
また、本実施形態によれば、携帯電話機１において、第２ハードキーとしてのハードキー１１ｅには、通話機能における所定の動作がアサインされている。これにより、携帯電話機１は、通話機能に関する操作性を向上させることができる。本実施形態によれば、携帯電話機１は、ユーザが通話機能に関する操作を咄嗟に行った場合、誤操作を低減可能に構成される。
【００５５】
続けて、本発明における第２実施形態について説明する。
図５から図６Ｂにより、第２実施形態における携帯電話機１Ａについて説明する。図５は、第２実施形態の携帯電話機１Ａにおける正面図である。図６Ａは、図５における領域Ａ１を示す図である。図６Ｂは、領域Ａ１における内部構造を説明する図である。以下、第１実施形態と異なる部分を中心に説明し、共通する部分の説明は省略する。
【００５６】
図５及び図６Ａに示すように、本実施形態における携帯電話機１Ａは、音入力部２４（マイク用孔部２４ａ、通話用マイク２４ｂ）の位置が異なる点で、第１実施形態における携帯電話機１と相違する。
【００５７】
詳細には、携帯電話機１Ａにおいて、音入力部２４（マイク用孔部２４ａ、通話用マイク２４ｂ）は、筐体２の長手方向におけるハードキー１１ｃの外側ではなく、筐体２の長手方向における第２ハードキーとしてのハードキー１１ｅの外側に配置される。
【００５８】
更に詳細には、携帯電話機１Ａにおいて、音入力部２４（マイク用孔部２４ａ、通話用マイク２４ｂ）は、筐体２において、短手方向において第１ハードキーとしてのハードキー１１ｄと、第２ハードキーとしてのハードキー１１ｅとの間に配置されると共に、筐体２の長手方向において、第２ハードキーとしてのハードキー１１ｅの外側に配置される。
【００５９】
また、言い換えると、携帯電話機１Ａにおいて、音入力部２４（マイク用孔部２４ａ、通話用マイク２４ｂ）は、第２ハードキーとしてのハードキー１１ｅが直線Ｌに沿って配置される状態を基準とした場合、第２ハードキーとしてのハードキー１１ｅが直線Ｌからずれたことで形成された（空いた）領域に配置される。
【００６０】
図６Ａ及び図６Ｂに示すように、マイク用孔部２４ａは、筐体２の長手方向において、第２ハードキーとしてのハードキー１１ｅ（キー部材１００ｅ、スイッチ部１１０ｅ）の外側（一端側、音出力部２５側と反対の端部側）に、第２ハードキーとしてのハードキー１１ｅと並んで配置される。
【００６１】
また、図６Ａ及び図６Ｂにおいて、通話用マイク２４ｂは、筐体２の短手方向において、少なくとも一部が、複数の第１スイッチ部としてのスイッチ部１１０ａ、１１０ｂ、１１０ｃ、１１０ｄと重なる位置に配置される。
【００６２】
また、通話用マイク２４ｂは、中心が、短手方向において、第２スイッチ部としてのスイッチ部１１０ｅの中心と、複数の第１スイッチ部としてのスイッチ部１１０ａ、１１０ｂ、１１０ｃ、１１０ｄのうち最もスイッチ部１１０ｅ側のスイッチ部１１０ｄの中心との間に位置するよう配置される。
【００６３】
また、本実施形態において、第２ハードキー１１ｅを構成する細長状のキー部材１００ｅは、その長手方向が直線Ｌと交差するように傾いて配置される。更には、第２ハードキー１１ｅを構成する細長状のキー部材１００ｅは、音入力部２４（マイク用孔部２４ａ、通話用マイク２４ｂ）が配置される側のハードキー１１ｄとの間の領域を大きくするように、その長手方向が直線Ｌと交差するように傾いて配置される。
【００６４】
本実施形態において、キーシート５００Ａは、通話用マイク２０ｂの形状に対応した切り欠き部５０１Ａを有する。
また、キー基板５００Ｂは、通話用マイク２０ｂの形状に対応した切り欠き部５０１Ｂを有する。
そして、通話用マイク２４ｂは、キーシート５００Ａにおける切り欠き部５０１Ａ及びキー基板５００Ｂにおける切り欠き部５０１Ｂに挿入されるように配置される。
【００６５】
本実施形態によれば、上述の第１実施形態と同様の効果を奏する。また、本実施形態によれば、更に以下の効果を奏する。
本実施形態によれば、携帯電話機１Ａにおいて、音入力部２４（マイク用孔部２４ａ、通話用マイク２４ｂ）は、第２ハードキーとしてのハードキー１１ｅが直線Ｌに沿って配置される状態を基準とした場合、第２ハードキーとしてのハードキー１１ｅが直線Ｌからずれたことで形成された（空いた）領域に配置される。
これにより、携帯電話機１Ａにおいて、省スペース化が可能である。これにより、携帯電話機１Ａは、第１実施形態における携帯電話機１よりも小型化される。これにより、携帯電話機１Ａは、第１実施形態における携帯電話機１よりも長手方向における長さが短くなるよう小型される。
【００６６】
また、本実施形態によれば、マイク用孔部２４ａは、筐体２の長手方向において、第２ハードキーとしてのハードキー１１ｅ（キー部材１００ｅ、スイッチ部１１０ｅ）の外側（一端側、音出力部２５側と反対の端部側）に、第２ハードキーとしてのハードキー１１ｅと並んで配置される。
これにより、携帯電話機１Ａにおいて、通話用マイク１４ｂは、通話機能における動作がアサインされたハードキー１１ｅの近傍に配置される。これにより、携帯電話機１Ａは、ユーザがマイク用孔部２４ａを塞ぐように指を配置することで、同時に、ハードキー１１ｅを押圧操作もできるように構成される。これにより、携帯電話機１Ａは、通話機能における操作性が向上される。
【００６７】
また、本実施形態において、通話用マイク２４ｂは、筐体２の短手方向において、少なくとも一部が、複数の第１スイッチ部としてのスイッチ部１１０ａ、１１０ｂ、１１０ｃ、１１０ｄと重なる位置に配置される。
これにより、携帯電話機１Ａにおいて、省スペース化が可能である。これにより、携帯電話機１Ａは、第１実施形態における携帯電話機１よりも小型化される。これにより、携帯電話機１Ａは、第１実施形態における携帯電話機１よりも長手方向における長さが短くなるよう小型される。
【００６８】
また、本実施形態において、通話用マイク２４ｂは、中心が、短手方向において、第２スイッチ部としてのスイッチ部１１０ｅの中心と、複数の第１スイッチ部としてのスイッチ部１１０ａ、１１０ｂ、１１０ｃ、１１０ｄのうち最もスイッチ部１１０ｅ側のスイッチ部１１０ｄの中心との間に位置するよう配置される。
これにより、携帯電話機１Ａにおいて、省スペース化が可能である。これにより、携帯電話機１Ａは、第１実施形態における携帯電話機１よりも小型化される。これにより、携帯電話機１Ａは、第１実施形態における携帯電話機１よりも長手方向における長さが短くなるよう小型される。
【００６９】
また、本実施形態において、第２ハードキー１１ｅを構成する細長状のキー部材１００ｅは、長手方向が直線Ｌと交差するように傾いて配置される。更には、第２ハードキー１１ｅを構成する細長状のキー部材１００ｅは、音入力部２４（マイク用孔部２４ａ、通話用マイク２４ｂ）が配置される側のハードキー１１ｄとの間の領域を大きくするように長手方向が直線Ｌと交差するように傾いて配置される。
これにより、携帯電話機１Ａにおいて、更に、省スペース化が可能である。これにより、携帯電話機１Ａは、更に、小型化される。また、これにより、携帯電話機１Ａは、長手方向における長さが更に短くなるよう小型される。
【００７０】
以上、好適な実施形態について説明したが、本発明は上述した実施形態に限定されることなく種々の形態で実施することができる。例えば、第１実施形態及び第２実施形態において、携帯電子機器として携帯電話機１について説明しているが、これに限定されず、携帯電子機器は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００７１】
また、第１実施形態及び第２実施形態において、筐体が一つであるストレートタイプの携帯電話機について説明しているが、携帯電子機器は、このような携帯電話機に限定されない。本発明の携帯電子機器として、複数の筐体を有するタイプも含まれる。例えば、携帯電子機器は、２つの筐体が連結部を介して折りたたみ可能に構成された折り畳みタイプや、２つの筐体が重ね合わされた状態から一方の筐体を一方向にスライド移動可能に構成されたスライドタイプや、２つの筐体が重ね合された状態から重ね合わせ方向に沿う軸線を中心に一方の筐体を回転可能に構成された回転（ターン）タイプや、いわゆる２軸ヒンジタイプであってもよい。
【００７２】
また、第１実施形態及び第２実施形態において、複数の第１ハードキーは、直線に沿って配置されているが、これに限定されない。複数の第１ハードキーは、曲線に沿って配置されていてもよい。
【００７３】
また、第１実施形態及び第２実施形態において、第２ハードキーは、複数の第１ハードキーの端部に並んで配置されるが、これに限定されない。第２ハードキーは、複数の第１ハードキー同士の間に配置されていてもよい。
【００７４】
また、第１実施形態及び第２実施形態において、ハードキー群は、筐体２における音入力部２４側の外縁に沿って配置されるが、これに限定されない。ハードキー群は、例えば、筐体２における音出力部２５側の外縁に沿って配置されていてもよく、また、長手方向に延びる外縁に沿って配置されていてもよい。
【００７５】
また、第１実施形態及び第２実施形態において、複数の第１ハードキー及び第２ハードキーそれぞれを構成するキー部材は、関連する機能をイメージさせる形状に形成されているが、これに限定されない。複数の第１ハードキー及び第２ハードキーそれぞれを構成するキー部材は、同じ形状であってもよい。また、複数の第１ハードキー及び第２ハードキーそれぞれを構成するキー部材は、関連する機能をイメージする文字や絵が付されていてもよい。ここで、第２ハードキーのみ、異なる色が付されていてもよい。
【符号の説明】
【００７６】
１          携帯電話機
２          筐体
２Ａ        表面（所定面）
１１        ハードキー群
１１ａ、１１ｂ、１１ｃ、１１ｄ          ハードキー（第１ハードキー）
１１ｅ      ハードキー（第２ハードキー）
２１        タッチスクリーンディスプレイ
２４        音入力部
２４ａ      マイク用孔部
２４ｂ      通話用マイク
１００ａ、１００ｂ、１００ｃ、１００ｄ        キー部材（第１キー部材）
１００ｅ  キー部材（第２キー部材）
１１０ａ、１１０ｂ、１１０ｃ、１１００ｄ        スイッチ部（第１スイッチ部）
１１０ｅ  スイッチ部（第２スイッチ部）
Ｌ          直線
【図１】
0005715020.tif 000002
【図２】
0005715020.tif 000003
【図３】
0005715020.tif 000004
【図４Ａ】
0005715020.tif 000005
【図４Ｂ】
0005715020.tif 000006
【図５】
0005715020.tif 000007
【図６Ａ】
0005715020.tif 000008
【図６Ｂ】
0005715020.tif 000009